(57)【要約】      （修正有）【課題】簡易な操作でスライド容器の出し入れを繰り返しても確実に貯蔵室内の所定位置に戻る冷蔵庫を提供する。【解決手段】スライド容器６４を貯蔵室に収納した状態で保持する保持機構１００が、スライド容器６４に設けられたアーム１０２と、貯蔵室内に設けられたアーム保持部１０４とを備え、アーム１０２は、底部に行くほど前方へ傾斜する傾斜面１０６ａを有する凹部１０６を備え、アーム保持部１０４は、凹部１０６に挿入されるロッド１１２と、凹部１０６に挿入されたロッド１１２をアーム１０２に向けて付勢する付勢手段１１６とを備え、スライド容器６４を貯蔵室内に収納する際に、付勢手段１１６に付勢されたロッド１１２が傾斜面１０６ａを摺動しながら凹部１０６に挿入される。【選択図】図４
2015117836.tif 000002
【特許請求の範囲】
【請求項１】
貯蔵室と、前後方向にスライドして前記貯蔵室から出し入れするスライド容器と、前記スライド容器を前記貯蔵室に収納した状態で保持する保持機構とを備えた冷蔵庫において、
前記保持機構は、前記スライド容器に設けられたアームと、前記貯蔵室内に設けられたアーム保持部とを備え、
前記アームは、底部に行くほど前方へ傾斜する傾斜面を有する凹部を備え、
前記アーム保持部は、前記凹部に挿入されるロッドと、前記凹部に挿入された前記ロッドを前記アームに向けて付勢する付勢手段とを備え、前記スライド容器を前記貯蔵室内に収納する際に、前記付勢手段に付勢された前記ロッドが前記傾斜面を摺動しながら前記凹部に挿入される冷蔵庫。
【請求項２】
前記スライド容器を前記貯蔵室から引き出す際に前記ロッドに係止して前記付勢手段に抗して前記ロッドを保持し、前記スライド容器を前記貯蔵室内に収納する際に前記ロッドとの係合を解除するストッパを備える請求項１に記載の冷蔵庫。
【請求項３】
前記ストッパは、回動軸の周りを回動して前記ロッドに近接離隔する係止棒と、前記係止棒の一端部を前記ロッドから離隔する方向へ押圧する押圧手段とを備え、
前記係止棒は、前記回動軸を挟んで前記一端部の反対側に設けられたストッパ係止部が、前記ロッドに設けられたロッド係止部に係止して前記ロッドを保持する請求項２に記載の冷蔵庫。
【請求項４】
前記アームに設けられた第１突起を備え、
前記スライド容器を前記貯蔵室内に収納する際に、前記第１突起が、前記係止棒の一端部を前記ロッドに近接する方向へ押圧して前記係止棒を回動させて前記ストッパ係止部と前記ロッド係止部との係止を解除する請求項３に記載の冷蔵庫。
【請求項５】
前記アームに設けられ、前記付勢手段の付勢方向の反対方向へ突出する第２突起を備え、
前記スライド容器を前記貯蔵室から引き出す際に、前記第２突起が、前記反対方向へ前記ロッドを押して前記ロッド係止部に前記ストッパ係止部を係止させる請求項３又は４に記載の冷蔵庫。
【請求項６】
前記アームは前記第２突起の後方が、前記第２突起より凹んでいる請求項５に記載の冷蔵庫。
【請求項７】
前記スライド容器を前記貯蔵室に収納した状態で前記付勢手段が前記ロッドを前記傾斜面に押し付けて前記スライド容器を後方に付勢する請求項１〜６のいずれか１項に記載の冷蔵庫。
【請求項８】
前記傾斜面の前後方向に対する前記傾斜面の傾斜角度が、４５度より小さい請求項１〜７のいずれか１項に記載の冷蔵庫。
【請求項９】
前記貯蔵室内に固定された前面に開口部を有する外容器を備え、
前記外容器は、内部に前記スライド容器が収納され、前記スライド容器の前板が前記開口部を閉塞する請求項１〜８のいずれか１項に記載の冷蔵庫。
【発明の詳細な説明】
【技術分野】
【０００１】
本発明の実施形態は、冷蔵庫に関するものである。
【背景技術】
【０００２】
前後方向にスライドして貯蔵室から出し入れするスライド容器を備えた冷蔵庫が従来より提案されているが、当該スライド容器が貯蔵室内の所定位置まで完全に戻されていない状態では、冷蔵庫扉と干渉して冷蔵庫扉を閉扉することができない。もし、使用者が閉扉できていないことに気付かない場合、いわゆる半ドア状態が継続して冷気洩れにより、庫内温度に著しい悪影響を与えることになる。そのため、スライド容器の出し入れを繰り返しても簡単な操作で確実に貯蔵室内の所定位置に戻って、スライド容器が冷蔵庫扉の閉扉を干渉しないことが求められている。
【０００３】
ところで、冷蔵庫に貯蔵される食品などの貯蔵品の劣化要因として、空気中に存在する酸素による酸化があることから、食品を貯蔵する空間の酸素を低減させることで、貯蔵品の酸化を抑えて貯蔵品の鮮度を維持することができる冷蔵庫が知られている（例えば、特許文献１，２参照）。
【０００４】
このような冷蔵庫は、貯蔵室内に収納された前面に開口部を有する外容器と、外容器の内部に出し入れ可能に設けられたスライド容器と、外容器内の酸素を減少させる減酸素装置とを備え、スライド容器に貯蔵品を収納した後、外容器内の所定位置まで押し戻すことで外容器の前面の開口部をスライド容器の前板を兼ねた扉によって閉塞し外容器内を密閉する。そして、外容器内を密閉した状態で減酸素装置を作動させて外容器内の酸素を減少させる。
【０００５】
上記のような冷蔵庫では、効率的に外容器内の酸素を減少させるために外容器と扉との間にシール部材を設けて外容器の密閉性が高められているが、外容器に貯蔵品を出し入れする毎に扉が開閉されることから、扉の開閉を繰り返してもスライド容器を外容器内の所定位置まで確実に押し戻して安定して外容器と扉との間をシールすることが求められている。
【先行技術文献】
【特許文献】
【０００６】
【特許文献１】特開２００４−２１８９２４号公報
【特許文献２】特開平９−２８７８６９号公報
【発明の概要】
【発明が解決しようとする課題】
【０００７】
そこで、前後方向にスライドして貯蔵室から出し入れするスライド容器を備えた冷蔵庫において、簡易な操作でスライド容器の出し入れを繰り返しても確実に貯蔵室内の所定位置に戻る冷蔵庫を提供することを目的とする。
【課題を解決するための手段】
【０００８】
本実施形態は、貯蔵室と、前後方向にスライドして前記貯蔵室から出し入れするスライド容器と、前記スライド容器を前記貯蔵室に収納した状態で保持する保持機構とを備えた冷蔵庫において、前記保持機構は、前記スライド容器に設けられたアームと、前記貯蔵室内に設けられたアーム保持部とを備え、前記アームは、底部に行くほど扉の開放方向へ傾斜するテーパ面を有する凹部を備え、前記アーム保持部は、前記凹部に挿入されるロッドと、前記凹部に挿入された前記ロッドを前記アームに向けて付勢する付勢手段とを備え、前記スライド容器を前記貯蔵室内に収納する際に、前記付勢手段に付勢された前記ロッドが前記テーパ面を摺動しながら前記凹部に挿入されることを特徴とする。
【図面の簡単な説明】
【０００９】
【図１】一実施形態に係る冷蔵庫の断面図である。
【図２】冷蔵室の要部を示す正面図である。
【図３】図２のＡ−Ａ断面図である。
【図４】スライド容器を引き出した状態を示す外容器及びスライド容器の要部を拡大した部分断面図である。
【図５】スライド容器を引き出した状態を示す外容器及びスライド容器の要部を拡大した平面図である。
【図６】スライド容器を外容器内に収納する動作を示す外容器及びスライド容器の要部を拡大し部分断面図である。
【図７】スライド容器が外容器内に収納された状態を示す外容器及びスライド容器の要部を拡大した部分断面図である。
【図８】スライド容器を外容器から引き出す動作を示す外容器及びスライド容器の要部を拡大した部分断面図である。
【図９】スライド容器を外容器から引き出す動作を示す外容器及びスライド容器の要部を拡大した部分断面図である。
【発明を実施するための形態】
【００１０】
以下、本発明の１実施形態について図面を参照して説明する。
【００１１】
本実施形態に係る冷蔵庫１０は、図１に示すように、外郭を形成する外箱と貯蔵空間を形成する内箱との間に断熱材を配設した前面に開口するキャビネット１２を備える。このキャビネット１２内部は、断熱仕切壁１４によって上方の冷蔵空間２０と下方の冷凍空間４０とに区画されている。
【００１２】
冷蔵空間２０は、冷蔵温度（例えば、２〜３℃）に冷却される空間であって、内部がさらに仕切板２１によって上下に区画され、仕切板２１の上方に複数段の載置棚２３を設けた冷蔵室２２が設けられ、仕切板２１の下方に引き出し式の収納容器２５を配置する野菜室２４が設けられている。
【００１３】
冷蔵室２２は、仕切板２１と最下段の載置棚２３とで上下に仕切られた空間が、２つの縦仕切壁２６、２７によって冷蔵庫幅方向に３つの空間に区画されている（図２参照）。
【００１４】
具体的には、縦仕切壁２６が冷蔵室２２の一方側壁（左側壁）に寄せて配設され、縦仕切壁２７が冷蔵庫幅方向中央部付近に配設されている。冷蔵室２２の一方側壁と縦仕切壁２６に挟まれた空間には、製氷用水を貯水する給水タンク２８が配設されている。
【００１５】
縦仕切壁２６と縦仕切壁２７に挟まれた空間には、引き出し式の収納容器２９が上下２段に重ねて配設され、縦仕切壁２６と縦仕切壁２７の対向面に設けられたレール（不図示）によって収納容器２９の側面を摺動可能に支持している。
【００１６】
縦仕切壁２７と冷蔵室２２の他側壁（右側壁）に挟まれた空間には、貯蔵室６０及び減酸素装置７０が設けられている。
【００１７】
野菜室２４の下方に配置した冷凍空間４０は、冷凍温度（例えば、−１８℃以下）に冷却される空間であって、比較的小容積の自動製氷機を備えた製氷室４２と小型冷凍室とが左右に併設され、その下方に冷凍室４６が設けられている。
【００１８】
冷蔵室２２の開口部は、キャビネット１２の一側部の上下に設けられたヒンジにより回動自在に枢支された冷蔵室扉２２ａにより閉塞されている。
【００１９】
野菜室２４、製氷室４２、小型冷凍室および冷凍室４６の開口部は、引き出し式扉２４ａ，４２ａ，４６ａにより閉塞されている。各引き出し式扉２４ａ，４２ａ，４６ａの裏面側に固着した左右一対の支持枠には、収納容器２５，４３，４７が保持されており、開扉動作とともに庫外に引き出されるように構成されている。
【００２０】
キャビネット１２の背面底部には、機械室５０が設けられ、冷凍サイクルを構成する圧縮機５１などが載置されている。この機械室５０の背面上部には、冷蔵庫１０の動作を制御する不図示の制御基板が設けられている。
【００２１】
冷蔵空間２０の背面には、蒸発器カバー１６とキャビネット１２の背面との間に蒸発器室１８が区画形成されており、蒸発器室１８の内に冷蔵用蒸発器５２と蒸発器樋３０と冷蔵用ファン５３が配設されている。
【００２２】
蒸発器室１８に設けられた冷蔵用蒸発器５２は、蒸発器室１８内の空気と熱交換してこれを冷却し、冷蔵用ファン５３の回転駆動によって冷蔵用蒸発器５２で生成された冷気を吹出口より冷蔵室２２及び野菜室２４に導入することで、冷蔵空間２０を所定温度に冷却する。冷蔵空間２０を冷却し終えた冷気は、吸込口から再び蒸発器室１８に戻され冷蔵用蒸発器５２と熱交換して冷却される。
【００２３】
蒸発器樋３０は、除霜運転時に冷蔵用蒸発器５２から生じる結露水を受け、その一部を給水ポンプ３６が給水ホース３７を介して給水装置８０へ給水し、残りを排水ホース３４を介して機械室５０内に設けられた蒸発皿５６へ供給する。
【００２４】
冷凍空間４０の背面には、蒸発器カバー１７とキャビネット１２の背面との間に蒸発器室１９が区画形成されており、蒸発器室１９の内に冷凍用蒸発器５４と冷凍用ファン５５が配設されている。冷凍用蒸発器５４は蒸発器室１９内の空気と熱交換して冷却し、冷凍用ファン５５の回転駆動によって冷凍用蒸発器５４で生成された冷気を吹出口より製氷室４２、小型冷凍室、および冷凍室４６に導入することで、冷凍空間４０を所定温度に冷却する。冷凍空間４０を冷却し終えた冷気は、吸込口から再び蒸発器室１９に戻され冷凍用蒸発器５４と熱交換して冷却される。
【００２５】
冷蔵用蒸発器５２及び冷凍用蒸発器５４は、機械室５０に設けられた圧縮機５１や凝縮器（不図示）や切替弁（不図示）とともに冷凍サイクルを構成し、圧縮機５１から吐出された冷媒によって冷却される。
【００２６】
このような構成の冷蔵庫１０において、縦仕切壁２７と冷蔵室２２の右側壁に挟まれた空間に設けられた貯蔵室６０は、図１及び図３に示すように、仕切板２１の上面に固定される外容器６２と、外容器６２内に収納されるスライド容器６４とを備える。外容器６２は、前面が開口する直方体状の箱体からなり、前面の開口部がスライド容器６４の前板を兼ねた扉６６によって閉塞されると外容器６２の内部に密閉された空間が形成される。
【００２７】
外容器６２の左右の内側面には、前後方向に沿って延びる固定レール６７が設けられている。また、外容器６２の背面には、外容器６２内の酸素を減少させる減酸素装置７０が設けられている。
【００２８】
減酸素装置７０は、高分子電解質膜法を利用して外容器６２内の酸素を低減するものであり、減酸素ユニット７２と、減酸素ユニット７２の下方に配置された給水装置８０とを備え、冷蔵用蒸発器５２で発生した除霜水が、蒸発器樋３０から給水装置８０を介して減酸素ユニット７２に供給される。
【００２９】
そして、減酸素ユニット７２に供給された水は、減酸素ユニット７２内で気化して水蒸気となりアノード層で水素イオンに分解される。アノード層で生成した水素イオンは、カソード層において貯蔵室６０内の酸素と反応して水を生成することで、貯蔵室６０内の酸素を減少させる。
【００３０】
スライド容器６４は、上面に開口する箱体であり、その内部に食品等の貯蔵品を収納する空間が設けられている。
【００３１】
スライド容器６４は、左右両側面の後部に設けられたローラ６５が、外容器６２の内側に設けられた固定レール６７を摺動することで、外容器６２に対して前後方向に引出し可能となっている。
【００３２】
スライド容器６４の前面を構成する扉６６は、外容器６２の前面の開口部を全て覆う形状に設けられている。この扉６６の後面周囲にはガスケット６９が設けられており、扉６６を閉扉した場合に、ガスケット６９が外容器６２の前面開口部の周縁部から外方へ突出するフランジ部６３に当接する。これにより、ガスケット６９が外容器６２と扉６６との間をシールして、外容器６２の内部を密閉する。このように閉扉された扉６６は、外容器６２及びスライド容器６４に設けられた保持機構１００により閉扉状態が保持される。
【００３３】
保持機構１００は、図３〜図５に示すように、スライド容器６４の扉６６に設けられたアーム１０２と、外容器６２に固定されたアーム保持部１０４とを備え、外容器６２の前面開口部を扉６６で閉塞する状態（閉扉状態）においてアーム保持部１０４がアーム１０２を保持することで、スライド容器６４を外容器６２内に収納した状態で保持する。
【００３４】
なお、本実施形態では、図３に示すように、保持機構１００を外容器６２の左右側部に設ける場合について説明するが、外容器６２の左右側部に換えて、あるいは、外容器６２の左右側部に加えて保持機構１００を外容器６２の上下部に設けてもよい。また、外容器６２の左右側部に設ける保持機構１００の構造は同一であるため、ここでは、外容器６２の右側部に設けた保持機構１００について説明し、左側部の扉保持機構１００の構成の説明を省略する。
【００３５】
アーム１０２は、扉６６に設けられたガスケット６９の外側から後方に向けて突出し、外容器６２の外側面に沿って配設されている。アーム１０２の上面には、下方に陥没する凹部１０６と、上方へ突出する第１突起１０８及び第２突起１１０とが設けられている。
【００３６】
凹部１０６は、後側の壁面が底部に行くほど前方へ傾斜する傾斜面１０６ａをなしており、この例では、前後方向に対する傾斜面１０６ａの傾斜角度が、４５度より小さい角度（例えば、３０度）に設定されている。
【００３７】
凹部１０６の左右両側部には、アーム１０２の上面から上方に突出する第１突起１０８が設けられ、凹部１０６の後方には、アーム１０２の上面から上方に突出する第２突起１１０が設けられている。第２突起１１０の前壁の少なくとも一部が、アーム１０２に設けられた凹部１０６の傾斜面１０６ａと同一の平面上に位置する傾斜面１１０ａをなしている。
【００３８】
アーム１０２において第２突起１１０の後方に位置するアーム先端部１０２ａは、先端に行くほど上下方向及び左右方向の寸法が小さくなるような先細形状をなしており、これによりアーム先端部１０２の上面が、第２突起１１０より低くなるように凹んだ形状をなしている。
【００３９】
アーム保持部１０４は、アーム１０２の上面に設けられた凹部１０６に挿入されるロッド１１２と、外容器６２の外側面の前部に取り付けられるホルダ１１４及び付勢手段１１６と、ストッパ１１８とを備える。
【００４０】
ホルダ１１４は、前後方向に貫通して扉６６に設けられたアーム１０２が挿入されるアーム挿入部１２０と、前後方向に延びて下端部がアーム挿入部１２０に連通するロッドガイド１２２とを備え、ロッドガイド１２２にロッド１１２が上下動可能な状態で配設されている。
【００４１】
付勢手段１１６は、外容器６２の外側面に固定されるスプリングケース１２４と、スプリングケース１２４内に収納されたスプリング１２６とを備える。スプリングケース１２４は、ホルダ１１４のロッドガイド１２２と連通しており、ロッドガイド１２２に配設されたロッド１１２の上面をスプリングケース１２４内に収納されたスプリング１２６が下方に付勢する。
【００４２】
ロッド１１２は、アーム１０２に設けられた凹部１０６及び第２突起１１０が冷蔵庫幅方向に重なるようにこれらの後方位置に配置されている。このロッド１１２の下面は、下方に行くほど前方へ傾斜しており、アーム１０２に設けられた凹部１０６の傾斜面１０６ａと平行な傾斜面１１２ａをなしている。ロッド１１２は、付勢手段１１６のスプリング１２６から下方への付勢力を受けてロッドガイド１２２に案内されて下方へ摺動して上方からアーム挿入部１２０に挿入される。
【００４３】
また、ロッド１１２における冷蔵庫前側には、前方へ突出するロッド係止部１２８が設けられ、アーム挿入部１２０の上方にロッド１１２が位置する状態において、ロッド係止部１２８の下面にストッパ１１８が当接するように係止することで、スプリング１２６による下方への付勢力に抗してロッド１１２がアーム挿入部１２０の上方位置に保持される。
【００４４】
ストッパ１１８は、ロッド１１２より冷蔵庫前方においてホルダ１１４に固定された回動軸１３０と、回動軸１３０に対して回動可能に取り付けられた係止棒１３２と、係止棒１３２を付勢する押圧手段１３４とを備える。
【００４５】
係止棒１３２は、回動軸１３０を挟んで上下に延びる棒状の部材であり、上下の両端部がロッド１１２に近接離間するように回動軸１３０の周りを回動する。回動軸１３０より上方に位置する係止棒１３２の上端部には、ロッド１１２に向けて突出するストッパ係止部１３６が設けられている。このストッパ係止部１３６は、その上面がロッド１１２に設けられたロッド係止部１２８の下面に当接する。
【００４６】
回動軸１３０より下方に位置する係止棒１３２の下端部１３２ａは、冷蔵庫幅方向に２つに分かれており、アーム１０２において凹部１０６の左右両側部に設けられた第１突起１０８が冷蔵庫幅方向に重なるように第１突起１０８の後方位置に配置されている。また、係止棒１３２の下端部１３２ａは、押圧手段１３６によってロッド１１２から離れる方向（つまり、冷蔵庫前方）へ押圧され、これにより、係止棒１３２の上端部に設けられたストッパ係止部１３６が、ロッド１１２に押さえ付けられている。
【００４７】
このような構成の保持機構１００では、図４及び図５に示すようなスライド容器６４を外容器６２から引き出した状態では、ロッド係止部１２８にストッパ１１８のストッパ係止部１３６が係止してスプリング１２６による下方への付勢力に抗してロッド１１２がアーム挿入部１２０の上方位置に保持されている。
【００４８】
このようなスライド容器６４を外容器６２から引き出した状態からスライド容器６４を冷蔵庫後方にスライドさせて外容器６２内に収納すると、スライド容器６４の後方への移動に伴って、スライド容器６４の扉６６から後方に突出するアーム１０２がホルダ１１４のアーム挿入部１２０に挿入されるとともに、アーム１０２に設けられた第１突起１０８が、ストッパ１１８の係止棒１３２の下端部１３２ａを押圧手段１３４の押圧力に抗して後方へ移動させる（図６参照）。
【００４９】
これにより、係止棒１３２のストッパ係止部１３６は、ロッド１１２から離れるように冷蔵庫前方へ移動してロッド係止部１２８との係止が解除され、付勢手段１１６のスプリング１２６より下向きの付勢力を受けるロッド１１２がロッドガイド１２２を下方に摺動する。ロッドガイド１２２を下方に摺動したロッド１１２は、ロッド１１２に設けられた傾斜面１１２ａが凹部１０６の傾斜面１０６ａに当接するようにアーム１０２の凹部１０６に挿入される。
【００５０】
なお、扉６６が外容器６２の前面開口部を閉塞する位置より２０ｍｍ〜４０ｍｍ前方において第１突起１０８がストッパ１１８の係止棒１３２の下端部１３２ａに当接して、係止棒１３２のストッパ係止部１３６とロッド１１２のロッド係止部１２８との係止が解除されロッド１１２がアーム１０２の凹部１０６に挿入されることが好ましい。
【００５１】
そして、ロッド１１２は、付勢手段１１６から下向きの付勢力を受けているため、凹部１０６の傾斜面１０６ａを摺動しながら凹部１０６に挿入され、スライド容器６４が冷蔵庫後方へ引き込まれ、外容器６２の前面開口部を扉６６で閉塞する（図７参照）。
【００５２】
このように外容器６２の前面開口部をスライド容器６４の扉６６で閉塞した状態において、ロッド１１２の傾斜面１１２ａは、付勢手段１１６から下向きの付勢力を受けてアーム１０２に設けられた凹部１０６の傾斜面１０６ａに押し付けられ、外容器６２の前面開口部を扉６６で閉塞する状態（スライド容器６４が外容器６２内に収納された状態）においてもスライド容器６４が冷蔵庫後方に付勢されており、スライド容器６４が不用意に前方へ引き出されるのを防ぐことができる。
【００５３】
図７に示すようにスライド容器６４が外容器６２内に収納され外容器６２の前面開口部を扉６６で閉塞する状態からスライド容器６４を冷蔵庫前方に引き出すと、ロッド１１２の傾斜面１１２ａがアーム１０２の凹部１０６に設けられた傾斜面１０６ａをアーム先端部１０２ａ側へ摺動することで、ロッド１１２が付勢手段１１６による下向きの付勢力に抗して上方へ移動する（図８参照）。
【００５４】
そして、図８より更にスライド容器６４を冷蔵庫前方へ引き出すと、アーム１０２に設けられた第１突起１０８が、ストッパ１１８の係止棒１３２の下端部１３２ａと接触しなくなり、押圧手段１３４の付勢力によってストッパ１１８の係止棒１３２の下端部１３２ａが前方へ移動することで、係止棒１３２のストッパ係止部１３６がロッド１１２の冷蔵庫前側に当接する。
【００５５】
この状態から更にスライド容器６４を冷蔵庫前方へ引き出すと、図９に示すように、凹部１０６の傾斜面１０６ａをアーム先端部１０２ａ側へ摺動するロッド１１２は、凹部１０６の後方に設けられた第２突起１１０の傾斜面１１０ａを摺動して第２突起１１０により上方へ押し上げられる。これにより、ロッド１１２に設けられたロッド係止部１２８の下面にストッパ１１８のストッパ係止部１３６の上面が当接するように係止し、スプリング１２６による下方への付勢力に抗してロッド１１２がアーム挿入部１２０の上方位置に保持されアーム１０２に当接しなくなり、スライド容器６４を前方へスムーズに引き出すことができるようになる。
【００５６】
以上の構成を備えた本実施形態によれば、スライド容器６４を外容器６２に収納する際に、付勢手段１１６により下向きに付勢されたロッド１１２が凹部１０６の傾斜面１０６ａを摺動しながら凹部１０６に挿入され、付勢手段１１６の付勢力によってスライド容器６４が冷蔵庫後方へ引き込まれるため、簡易な操作でも確実にスライド容器６４を外容器６２内に収納することができる。
【００５７】
また、本実施形態では、スライド容器６４を外容器６２から引き出す際にロッド１１２に係止して付勢手段１１６の下向きの付勢力に抗してロッド１１２を保持するストッパ１１８を備えるため、スライド容器６４を外容器６２から引き出した状態では、スライド容器６４が外容器６２側に引き込まれず、スライド容器６４への貯蔵品の出し入れがしやすい。
【００５８】
更に、本実施形態では、アーム先端部１０２ａの上面が、第２突起１１０より低くなるように凹んだ形状をなしているため、第２突起１１０によりロッド１１２が上方へ押し上げられロッド１１２に設けられたロッド係止部１２８にストッパ１１８のストッパ係止部１３６が係止した後、アーム１０２をアーム挿入部１２０から引き抜く際にロッド１１２の下端がアーム１０２の上面に接触しにくくなり、より一層スムーズにスライド容器６４を前方へ引き出すことができる。
【００５９】
また、本実施形態では、凹部１０６の傾斜面１０６ａの前後方向に対する傾斜角度が４５度より小さい角度に設定されているため、付勢手段１１６によって下向きに付勢されたロッド１１２がスライド容器６４を冷蔵庫後方へ引き込む移動量に対してロッド１１２の移動量を小さくすることができ、アーム保持部１０４を小型化することができる。
【００６０】
なお、本実施形態では、冷蔵庫内に区画された貯蔵室６０に密閉された空間を形成する外容器を設け、当該外容器６２内にスライド容器６４を収納する場合について説明したが、本発明はこれに限定されず、例えば、貯蔵室６０を区画する側壁にアーム保持部１０４を設けて、スライド容器６４が貯蔵室６０内を前後にスライドするように構成してもよい。
【００６１】
また、貯蔵室６０を冷蔵室２２に設ける場合について説明したが、例えば野菜室２４等の冷蔵室２２以外の貯蔵空間に設けてもよい。
【００６２】
以上、本発明の実施形態を説明したが、これらの実施形態は例として提示したものであり、発明の範囲を限定することを意図していない。これらの実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００６３】
１０…冷蔵庫、２０…冷蔵空間、２２…冷蔵室、２２ａ…冷蔵室扉、４０…冷凍空間、６０…貯蔵室、６２…外容器、６３…フランジ部、６４…スライド容器、６６…扉、６７…固定レール、６９…ガスケット、７０…減酸素装置、１００…保持機構、１０２…アーム、１０２ａ…アーム先端部、１０４…アーム保持部、１０６…凹部、１０６ａ…傾斜面、１０８…第１突起、１１０…第２突起、１１０ａ…傾斜面、１１２…ロッド、１１２ａ…傾斜面、１１４…ホルダ、１１６…付勢手段、１１８…ストッパ、１２０…アーム挿入部、１２２…ロッドガイド、１２４…スプリングケース、１２６…スプリング、１２８…ロッド係止部、１３０…回動軸、１３２…係止棒、１３２ａ…下端部、１３４…押圧手段、１３６…ストッパ係止部
【図１】
2015117836.tif 000003
【図２】
2015117836.tif 000004
【図３】
2015117836.tif 000005
【図４】
2015117836.tif 000006
【図５】
2015117836.tif 000007
【図６】
2015117836.tif 000008
【図７】
2015117836.tif 000009
【図８】
2015117836.tif 000010
【図９】
2015117836.tif 000011